(57)【要約】【課題】  データ転送の際に必要な設定項目の事前登録処理、及びデータ転送実行時の選択処理を簡易化することができるデータ処理装置を提供する。【解決手段】  システム制御部１０２は、記録媒体１（１０６）と、記録媒体２（１０７）間でデータ転送を行った時に設定情報制御部１０３を介して使用した設定内容（設定情報）の履歴を保存すると共に、次のデータ転送時には、この保存された設定情報を読み込んで次回以降のデータ転送の設定に利用できるようにし、利用者が望むなら設定を逐一行わなくてもよいようにする。【選択図】  図２
2006319518.tif 000002
【特許請求の範囲】
【請求項１】
複数の記録媒体を有するデータ処理装置であって、
第１の記録媒体に記録されているデータを第２の記録媒体へ移すデータ処理の実行方法を定める設定情報を前記実行前に登録する登録手段と、
前記データ処理の実行の際に、前記登録されている設定情報を選択する選択手段と、
前記選択された設定情報を読み込む手段と、
前記読み込まれた設定情報に基づいて前記データ処理を実行する実行手段と、
を備えたことを特徴とするデータ処理装置。
【請求項２】
１つ以上の記録媒体と、外部装置との接続手段とを有するデータ処理装置であって、
前記記録媒体に記録されたデータを前記外部装置へ移すデータ処理の実行方法を定める設定情報を前記実行前に登録する登録手段と、
前記データ処理の実行の際に、前記登録されている設定情報を選択する選択手段と、
前記選択された設定情報を読み込む手段と、
前記読み込まれた設定情報に基づいて前記データ処理を実行する実行手段と、
を備えたことを特徴とするデータ処理装置。
【請求項３】
１つ以上の記録媒体と、外部装置との接続手段とを有するデータ処理装置であって、
前記外部装置に記録されたデータを前記記録媒体へ移すデータ処理の実行方法を定める設定情報を前記実行前に登録する登録手段と、
前記データ処理の実行の際に、前記登録されている設定情報を選択する選択手段と、
前記選択された設定情報を読み込む手段と、
前記読み込まれた設定情報に基づいて前記データ処理を実行する実行手段と、
を備えたことを特徴とするデータ処理装置。
【請求項４】
複数の外部装置との接続手段とを有するデータ処理装置であって、
前記外部装置の任意の１つに記録されたデータを前記外部装置の他の１つへ移すデータ処理の実行方法を定める設定情報を前記実行前に登録する登録手段と、
前記データ処理の実行の際に、前記登録されている設定情報を選択する選択手段と、
前記選択された設定情報を読み込む手段と、
前記読み込まれた設定情報に基づいて前記データ処理を実行する実行手段と、
を備えたことを特徴とするデータ処理装置。
【請求項５】
前記選択手段は、既登録の設定情報が存在しない場合、若しくは利用者が既登録の設定情報を使用しない決定を行った場合に、設定情報選択入力画面を表示して、利用者に前記実行時の設定情報を入力させる手段を与え、既登録の設定情報が存在し、かつ利用者が前記既登録の設定情報を使用する決定を行った場合に、前記既登録の設定情報を前記データ処理実行時の設定情報として使用することを特徴とする請求項１乃至４のいずれか１項に記載のデータ処理装置。
【請求項６】
前記選択手段は、前記利用者が前記既登録の設定情報を使用する決定を行った時に、前記既登録の設定情報の利用頻度を検証し、利用頻度の多いものを前記データ処理実行時の設定情報として使用することを特徴とする請求項５に記載のデータ処理装置。
【請求項７】
前記登録手段は、既登録の設定情報が存在しない場合、若しくは利用者が既登録の設定情報を使用しない決定を行った場合に、設定情報選択入力画面を表示して、利用者に前記登録時の設定情報を入力させる手段を与え、既登録の設定情報が存在し、かつ利用者が前記既登録の設定情報を使用する決定を行った場合に、前記既登録の設定情報を前記登録時の設定情報として使用することを特徴とする請求項１乃至６のいずれか１項に記載のデータ処理装置。
【請求項８】
前記登録手段は、前記利用者からの前記設定情報を入力するに際して、前記既登録の設定情報を削除する必要がある場合に、前記既登録の設定情報の利用頻度を検証し、前記利用頻度の少ない設定情報から優先的に削除することを特徴とする請求項６または請求項７に記載のデータ処理装置。
【請求項９】
前記設定情報の構成項目として、動画ファイルそのものをコピーする方法か、それとも再生した映像を再エンコーディングする方法かの、いずれか一方を示すデータ処理種別を含むことを特徴とする請求項１乃至８のいずれか１項に記載のデータ処理装置。
【請求項１０】
前記設定情報の構成項目として、すぐにデータ処理を開始する（即時）か、データ処理の開始時間を決めたデータ処理予約をしておく（予約）かの、いずれか一方を指定するデータ処理時刻を含むことを特徴とする請求項１乃至９のいずれか１項に記載のデータ処理装置。
【請求項１１】
前記設定情報の構成項目として、データ処理における転送速度（ビットレート）を含むことを特徴とする請求項１乃至１０のいずれか１項に記載のデータ処理装置。
【請求項１２】
前記設定情報の構成項目として、転送元コンテンツに、特定のシーンなどで区切られた区間がある場合に、その区切られた区間情報を転送先に引き継ぐか否かを指定する項目を含むことを特徴とする請求項１乃至１１のいずれか１項に記載のデータ処理装置。
【請求項１３】
特定のシーンなどで区切られた区間を検出または作成する手段を具備し、前記設定情報の構成項目として、転送先コンテンツに対して区間情報を作成することを指定する項目を含むことを特徴とする請求項１乃至１２のいずれか１項に記載のデータ処理装置。
【請求項１４】
転送元のコンテンツに含まれる情報や、事前に設定されている情報から、新たな名称情報を作成する手段を備え、前記設定情報の構成項目として、転送先コンテンツに対して作成した名称情報を付与することを指定する項目を含むことを特徴とする請求項１乃至１３のいずれか１項に記載のデータ処理装置。
【請求項１５】
転送先の記録媒体独自の転送後の処理を行う手段を備え、前記設定情報の構成項目として、転送後の処理を行うことを指定する項目を含むことを特徴とする請求項１乃至１４のいずれか１項に記載のデータ処理装置。
【請求項１６】
転送先または転送元の記録媒体が外部接続装置である場合に、前記設定情報の構成項目として、外部接続装置の種類，及び外部接続装置の設定情報を含むことを特徴とする請求項１乃至１５のいずれか１項に記載のデータ処理装置。
【請求項１７】
前記設定情報の構成項目として、転送先の音声記録方式、または多重音声設定を含むことを特徴とする請求項１乃至１６のいずれか１項に記載のデータ処理装置。
【請求項１８】
前記設定情報の構成項目として、画質や映像効果に影響を及ぼす映像加工設定を含むことを特徴とする請求項１乃至１７のいずれか１項に記載のデータ処理装置。
【請求項１９】
前記記録媒体に記録されているデータを再生する手段を備えたことを特徴とする請求項１乃至１８のいずれか１項に記載のデータ処理装置。
【請求項２０】
受信手段と、前記受信手段により受信されたデータを前記記録媒体に記録する手段とを備えたことを特徴とする請求項１乃至１９のいずれか１項に記載のデータ処理装置。
【発明の詳細な説明】
【技術分野】
【０００１】
本発明はデータ処理装置に係り、特に、記録媒体に記録された映像データ等を他の記録媒体に転送するためのデータ処理装置に関する。
【背景技術】
【０００２】
近年、ＣＳ放送やＢＳ放送等のデジタル放送信号を記録する記録媒体として、従来のビデオテープに代わって、記録容量が大きいハードディスクや、ＤＶＤ（Ｄｉｇｉｔａｌ  Ｖｅｒｓａｔｉｌｅ  Ｄｉｓｋ）や、ＢＤ（Ｂｌｕ−Ｒａｙ  Ｄｉｓｋ）等の光ディスクが開発されており、また、このような記録媒体を使用する映像録画再生装置が提供されている。
【０００３】
このような映像録画再生装置は、ＤＶＤの急速な普及の高まりを受け、ＤＶＤ単体録画再生装置、若しくはＨＤＤ等の複数の記録媒体制御装置を加えたＤＶＤ複合録画再生装置が相次いで商品化されている。また、ＤＶＤだけでなく、より大容量のＢＤ単体録画再生装置、またはＨＤＤ等の複数の記録媒体制御装置を加えたＢＤ複合録画再生装置の商品化も進んでいる。
例えば、ＨＤＤ、ＢＤ、ＤＶＤの３つの記録媒体を１つの装置で扱えるレコーダといった商品が、既に商品化されている。
【０００４】
このような大容量記録媒体に、デジタル放送信号のような映像データを記録（以下、「録画」と称する）する場合、従来のビデオテープに録画する場合に比べてはるかに多くの映像データを録画することができる。しかしながら、ＣＳ放送やＢＳ放送等のデジタル放送におけるハイビジョン画質のコンテンツなどにおいて、ハイビジョン画質を保ったまま録画する場合には、これら大容量記録媒体を用いて録画可能であったとしても、その一方では録画時間からの制限がある。
このため、媒体間でのコピーまたはムーブといった作業、つまり、ダビング（以下では「データ転送」と統一して呼称する）を行うことで、必要なコンテンツを必要な画質で各媒体に保存するといった使い方が一般的になされている。
【０００５】
このようなデータ転送動作には、動画ファイルそのものをコピーする方法と、再生した映像を再エンコーディングする方法とがある。
前者は、元となる映像の画質を保ったままで、書き込み／読み取りドライブの性能に応じた転送速度でデータ転送が可能な方法であり、後者は、データ転送後の画質をある程度自由に調整することなどが可能な方法である。
【０００６】
また、データ転送の方向に応じて、ボタンを設けるなどして、このボタンの操作によってデータ転送を開始する機器なども存在している。
【０００７】
なお、録画データの転送に関する分野では、例えば、特許文献１（特開２００４−３２６９５３号公報）では、タイトル情報などから、予約録画されたタイトルを自動的にデータ転送することが可能な方法、即ち、予約録画→編集→データ転送という一連の流れを、利用者が１回１回手動設定しなくて済む方法を開示している。
【特許文献１】特開２００４−３２６９５３号公報
【発明の開示】
【発明が解決しようとする課題】
【０００８】
しかしながら、上記背景技術で述べた従来のデータ処理装置及びデータ処理方法にあっては、録画データの転送に際して手動でデータ転送の設定項目などを決定する方法であるため、データ転送を行わせる度に、利用者は、最初から手動で設定を決めていかなくてはならず、操作が煩雑かつ面倒であるという問題点があった。
【０００９】
例えば、ＨＤＤ、ＢＤ、ＤＶＤの３つの記録媒体を扱えるレコーダの場合、いずれの媒体についても双方向のデータ転送が可能であるため、データ転送の方向を決めるだけでも６パターンが存在し、これに外部機器との接続（ｉＬＩＮＫ）による接続も含めると、ｉＬＩＮＫ接続先が変化する場合も含めて、データ転送の方向パターンはかなり多くなり、その上で、その方向によって、録画レートや録画時刻などをその都度設定しなければならないため、操作上はかなり複雑なものになっていた。
【００１０】
また、データ転送用のボタンを設けている機器、例えば、データ転送の方向毎にワンタッチデータ転送ボタンを設けている機器などでも、データ転送の方向毎にデータ転送の細かい設定ができる訳ではなく、動画ファイルそのものをコピーする方法にデータ転送方法が固定されているという不備があった。
【００１１】
なお、前述の特許文献１に開示された技術の場合、予約時に編集やデータ転送の動作も自動的に行うようには構成されているが、データ転送の詳細な設定方法については触れられておらず、録画後の転送の設定は不十分なものとなり、これを回避するためには、データ転送の詳細を決めるための複雑な操作をしなければならない。
【００１２】
本発明は、上記従来の問題点に鑑みてなされたものであって、データ転送の際に必要な設定項目の事前登録処理、及びデータ転送実行時の選択処理を簡易化することができるデータ処理装置を提供することを目的としている。
【課題を解決するための手段】
【００１３】
本発明は、上記した従来のデータ処理装置の課題に鑑みてなされたものであり、複数の記録媒体を有するデータ処理装置であって、第１の記録媒体に記録されているデータを第２の記録媒体へ移すデータ処理の実行方法を定める設定情報を前記実行前に登録する登録手段と、前記データ処理の実行の際に、前記登録されている設定情報を選択する選択手段と、前記選択された設定情報を読み込む手段と、前記読み込まれた設定情報に基づいて前記データ処理を実行する実行手段と、を備えたことを特徴とするデータ処理装置を提供するものである。
【００１４】
また、本発明は、１つ以上の記録媒体と、外部装置との接続手段とを有するデータ処理装置であって、前記記録媒体に記録されたデータを前記外部装置へ移すデータ処理の実行方法を定める設定情報を前記実行前に登録する登録手段と、前記データ処理の実行の際に、前記登録されている設定情報を選択する選択手段と、前記選択された設定情報を読み込む手段と、前記読み込まれた設定情報に基づいて前記データ処理を実行する実行手段と、を備えたことを特徴とするデータ処理装置を提供するものである。
【００１５】
また、本発明は、１つ以上の記録媒体と、外部装置との接続手段とを有するデータ処理装置であって、前記外部装置に記録されたデータを前記記録媒体へ移すデータ処理の実行方法を定める設定情報を前記実行前に登録する登録手段と、前記データ処理の実行の際に、前記登録されている設定情報を選択する選択手段と、前記選択された設定情報を読み込む手段と、前記読み込まれた設定情報に基づいて前記データ処理を実行する実行手段と、を備えたことを特徴とするデータ処理装置を提供するものである。
【００１６】
さらに、本発明は、１つ以上の記録媒体と、複数の外部装置との接続手段とを有するデータ処理装置であって、前記外部装置の任意の１つに記録されたデータを前記外部装置の他の１つへ移すデータ処理の実行方法を定める設定情報を前記実行前に登録する登録手段と、前記データ処理の実行の際に、前記登録されている設定情報を選択する選択手段と、前記選択された設定情報を読み込む手段と、前記読み込まれた設定情報に基づいて前記データ処理を実行する実行手段と、を備えたことを特徴とするデータ処理装置を提供するものである。
【００１７】
ここで、前記データ処理装置において、前記選択手段は、既登録の設定情報が存在しない場合、若しくは利用者が既登録の設定情報を使用しない決定を行った場合に、設定情報選択入力画面を表示して、利用者に前記実行時の設定情報を入力させる手段を与え、既登録の設定情報が存在し、かつ利用者が前記既登録の設定情報を使用する決定を行った場合に、前記既登録の設定情報を前記データ処理実行時の設定情報として使用することを特徴とする。
【００１８】
また、前記データ処理装置において、前記選択手段は、前記利用者が前記既登録の設定情報を使用する決定を行った時に、前記既登録の設定情報の利用頻度を検証し、利用頻度の多いものを前記データ処理実行時の設定情報として使用することを特徴とする。
【００１９】
また、前記データ処理装置において、前記登録手段は、既登録の設定情報が存在しない場合、若しくは利用者が既登録の設定情報を使用しない決定を行った場合に、設定情報選択入力画面を表示して、利用者に前記登録時の設定情報を入力させる手段を与え、既登録の設定情報が存在し、かつ利用者が前記既登録の設定情報を使用する決定を行った場合に、前記既登録の設定情報を前記登録時の設定情報として使用することを特徴とする。
【００２０】
また、前記データ処理装置において、前記登録手段は、前記利用者からの前記設定情報を入力するに際して、前記既登録の設定情報を削除する必要がある場合に、前記既登録の設定情報の利用頻度を検証し、前記利用頻度の少ない設定情報から優先的に削除することを特徴とする。
【００２１】
また、前記データ処理装置において、前記設定情報の構成項目として、動画ファイルそのものをコピーする方法か、それとも再生した映像を再エンコーディングする方法かの、いずれか一方を示すデータ処理種別を含むことを特徴とする。
また、前記データ処理装置は、前記設定情報の構成項目として、すぐにデータ処理を開始する（即時）か、データ処理の開始時間を決めたデータ処理予約をしておく（予約）かの、いずれか一方を指定するデータ処理時刻を含むことを特徴とする。
【００２２】
また、前記データ処理装置は、前記設定情報の構成項目として、データ処理における転送速度（ビットレート）を含むことを特徴とする。
また、前記データ処理装置は、前記設定情報の構成項目として、転送元コンテンツに、特定のシーンなどで区切られた区間がある場合に、その区切られた区間情報を転送先に引き継ぐか否かを指定する項目を含むことを特徴とする。
また、前記データ処理装置は、特定のシーンなどで区切られた区間を検出または作成する手段を具備し、前記設定情報の構成項目として、転送先コンテンツに対して区間情報を作成することを指定する項目を含むことを特徴とする。
【００２３】
また、前記データ処理装置は、転送元のコンテンツに含まれる情報や、事前に設定されている情報から、新たな名称情報を作成する手段を備え、前記設定情報の構成項目として、転送先コンテンツに対して作成した名称情報を付与することを指定する項目を含むことを特徴とする。
また、前記データ処理装置は、転送先の記録媒体独自の転送後の処理を行う手段を備え、前記設定情報の構成項目として、転送後の処理を行うことを指定する項目を含むことを特徴とする。
【００２４】
また、前記データ処理装置は、転送先または転送元の記録媒体が外部接続装置である場合に、前記設定情報の構成項目として、外部接続装置の種類，及び外部接続装置の設定情報を含むことを特徴とする。
また、前記データ処理装置は、前記設定情報の構成項目として、転送先の音声記録方式、または多重音声設定を含むことを特徴とする。
また、前記データ処理装置は、前記設定情報の構成項目として、画質や映像効果に影響を及ぼす映像加工設定を含むことを特徴とする。
【００２５】
また、前記データ処理装置は、前記記録媒体に記録されているデータを再生する手段を備えたことを特徴とする。
さらに、前記データ処理装置は、受信手段と、前記受信手段により受信されたデータを前記記録媒体に記録する手段とを備えたことを特徴とする。
【発明の効果】
【００２６】
以上説明したように、本発明のデータ処理装置によれば、記録媒体間のデータ転送時に使用された設定情報を保存しておいて、次のデータ転送時に、この保存された設定情報を使用できる選択肢を与えたので、データ転送をする際に必要な設定の手間を省き、データ転送を快適に行うことが可能になる効果がある。
【００２７】
また、本装置が備える記録媒体の数が増え、これらの記憶装置間でデータ転送を定期的に行う場合などに、特に、設定情報を登録したり、選択したりする手間を減らすことができる効果がある。
【発明を実施するための最良の形態】
【００２８】
以下、本発明に係るデータ処理装置の最良の実施形態について、図面を参照して詳細に説明する。
従来の録画再生機器における記録媒体間のデータ転送は、手動でデータ転送の設定項目などを決定していくため、データ転送の度に最初から設定情報を利用者が決定して手動で入力していかなくてはならず、操作が煩雑かつ面倒であった。よって、本発明のデータ処理装置は、この点を改善するものである。
【００２９】
図１は、本発明の実施形態に係るデータ処理装置を含むシステムのシステム概念を示す構成図である。
同図において、装置Ａは、本発明の実施形態に係るデータ処理装置であり、装置Ｂは、外部装置を示す。
図１において、装置Ａは、記録媒体１５０１と、記録媒体１５０２と、転送制御部１５０４と、転送情報制御部１５０５と、を備え、外部接続ケーブル１５０６により装置Ｂと接続されている。装置Ｂは、記録媒体１５０３を備えている。
【００３０】
なお、図１は、本発明の実施形態に係るデータ処理装置を含むシステムのシステム概念を、転送処理されるデータの経路を主体にして示したものであり、よって、装置Ａは本発明の実施形態に係るデータ処理装置のハードウェア構成を具体的に示すものではなく、論理的なデータ処理単位の構成を示すものである。
【００３１】
データ転送の際には、転送制御部１５０４によって、記録媒体１５０１から転送するデータが読み込まれ、同時に、そのデータを転送するための設定情報が転送情報制御部１５０５によって読み込まれ、その設定情報に従って、記録媒体１５０２や記録媒体１５０３にデータ転送される。また、その転送のための設定情報は、事前に記録媒体１５０１に書き込まれ、保存される。
【００３２】
また、データ転送に関しては、記録媒体１５０１〜１５０３の任意の記録媒体間で転送を行ってもよい。また、外部接続ケーブル１５０６は、どのような接続方法であっても構わない（例えば、ＩＥＥＥ１３９４方式の接続や、ＬＡＮケーブルを用いたネットワーク通信、また、無線通信等が可能である）。
【００３３】
これらの記録媒体単位の転送設定や、外部接続ケーブル１５０６の接続方法も含めて転送情報制御部１５０５で認識した上で情報の読み書き指令を送出し、実際の転送の制御は、この指令を受けた転送制御部１５０４で行っている。
【００３４】
図２は、本発明の実施形態に係るデータ処理装置の構成を示す構成図である。
同図に示す本発明の実施形態に係るデータ処理装置は、図１に示すデータ処理装置とは符号を変えている。
【００３５】
同図に示すデータ処理装置は、後述するように、放送波を受信するための受信部や、その放送波を記録再生するための記録再生部を具備している。また、以下の説明では、このデータ転送装置で録画再生するコンテンツの例として、ＢＳデジタル放送のストリームデータを用いて説明を行うが、ＣＳデジタル放送や地上波で放送される地上波デジタル放送等、いわゆるデジタル放送においても、この発明は実施可能である。また、放送などのストリームデータに限定されるものでもない。さらに、受信部や記録再生部は必ずしも具備していなくてはならないものではない。
【００３６】
図２において、本発明の実施形態に係るデータ処理装置は、選局されている番組の放送を受信する受信部１０１と、本装置全体の制御を行うシステム制御部１０２と、データ転送における設定情報の登録を行う設定情報制御部１０３と、ストリームデータの媒体間転送を制御するデータ転送制御部１０４と、ストリームデータの記録／再生を行う記録再生部１０５と、ストリームデータ等を記録するための記録媒体１０６，１０７と、利用者からの命令を受けて、装置に命令を与えるユーザインタフェース部１０８と、ストリームデータの映像などを出力する出力部１０９と、を備えて構成される。
【００３７】
この実施形態では、記録媒体として記録媒体１０６，１０７を示したが、一般に、本発明では、具備することが可能な記録媒体の個数は任意である。
また、この実施形態では、記録媒体１０６を固定ハードディスクとし、記録媒体１０７をＤＶＤ−ＲＷとしているが、一般に、本発明に係るデータ処理装置では、使用する記録媒体は、これらの機器で構成すべきものとは限らず、例えば、ＣＤ−ＲＷ、ＤＶＤ−ＲＡＭ、ＤＶＤ＋ＲＷ、Ｂｌｕ−ｒａｙ  ｄｉｓｋ等のディスク形状のリムーバブル記録媒体や、リムーバブルハードディスク、フラッシュメモリ、コンパクトフラッシュ（登録商標）、スマートメディア、メモリースティック、ＳＤカード等のリムーバブル記録媒体が使用可能である。
【００３８】
以下、本実施形態に係るデータ処理装置が有する各構成要素について説明する。
受信部１０１で受信されたＢＳ放送のストリームデータ（コンテンツ）は、記録再生部１０５の記録処理により記録媒体１０６に記録される。記録媒体１０６に記録される前記ストリームデータ（コンテンツ）は、同じく記録再生部１０５による再生処理を受けて出力部１０９から出力される。このように構成したので、受信部１０１で受信されたＢＳ放送のストリームデータ（コンテンツ）を、記録媒体１０６に記録すると共に、モニタなどの外部出力装置に出力させ、視聴することができる。
【００３９】
記録媒体１０６に記録されているコンテンツを、記録媒体１０７にデータ転送する際には、利用者が手動で、若しくは機器が自動的に、このデータ転送に必要な設定を行う。
データ転送制御部１０４は、データ転送に必要な前記設定を読み込み、この読み込まれた設定に従って、記録媒体１０６に記録されている該当コンテンツを記録媒体１０７へ転送（データ転送）する。
【００４０】
また、設定情報制御部１０３は、データ転送を行う際に、従来であれば主に利用者が手動で設定していたデータ転送における設定情報を登録する処理を行う。ここで、設定情報の登録は、管理テーブルを作成し、保存しておく。このデータ転送時の設定管理テーブルの１例を図３に示す。
【００４１】
図３は、本発明の実施形態に係るデータ処理装置のデータ転送時の設定項目を登録する設定管理テーブルの１例を示す説明図である。
同図において、まず、符号２０１〜２０３で示す設定項目（基本設定項目）は、データ転送を行うに際して、設定することが必須である項目である。以下、この設定項目について、箇条書きで説明する。
【００４２】
まず、基本設定項目について説明する。
（１）「データ転送方向」を示す設定項目２０１は、データ転送元とデータ転送先とを指定する設定項目であり、この実施形態では、記録媒体１０６から記録媒体１０７への方向と、その逆の、記録媒体１０７から記録媒体１０６への方向との２通りの方向だけであるが、一般に、本装置が備える記録媒体の数が増えたり、外部機器まで含める場合には、多様なデータ転送方向が発生することになる。
【００４３】
図３に示す例では、記録媒体１０６を「Ａ」、記録媒体１０６を「Ｂ」として、転送元をＡ、転送先をＢとする時には、「Ａ⇒Ｂ」という記号表現で登録している。但し、このような記号表現のみとは限らず、「データ転送の転送元」、「データ転送の転送先」といったように、それぞれ小項目に分けて登録するようにしてもよい。
【００４４】
（２）「データ転送種別」を示す設定項目２０２は、動画ファイルそのものをコピーする方法か、若しくは再生した映像を再エンコーディングする方法かで種別が分かれている場合に、その区別を指定する設定項目である。前者は、元となる映像の画質を保ったまま、書き込み／読み取りドライブの性能に応じた転送速度でデータ転送することが可能な方法であり、後者は、データ転送後の画質をある程度自由に調整することなどが可能な方法である。この実施形態では、前者のコピーする方法を「高速」、後者の再エンコーディングする方法を「等速」というように定め、図３に示す例では「等速」という設定を登録している。
【００４５】
（３）「データ転送時刻」を示す設定項目２０３は、データ転送を開始する時刻を指定する設定項目であり、直ぐにデータ転送を開始する（即時）か、時間を決めてデータ転送予約をしておく（予約）かの区別を指定する設定項目である。図３に示す例では、「即時」という設定を登録している。
予約の場合の予約時刻については、更に予約時刻などを小項目として設定するような管理テーブルにしてもよいし、若しくは以下で説明する詳細設定項目に予約時刻を登録しておいてもよい。
【００４６】
次に、詳細設定項目について説明する。この詳細設定項目は、データ転送にあたって必要に応じて登録するものとする。
（４）「ビットレート」を示す設定項目２０４は、コンテンツのビットレートを指定する設定項目であり、データ転送時に、この項目を設定することで、転送先媒体の容量に合わせてデータ転送することができる。設定可能なビットレートの数値などは機器のＬＳＩ性能などで決定されるため、ここでは特に限定しないが、一般的なＨＤＤレコーダの場合を例にとると、４段階程度の設定が可能であり、例えば、ビットレートの高い（画質が高い）順に２０Ｍ〔Ｂｐｓ〕、８Ｍ〔Ｂｐｓ〕、３Ｍ〔Ｂｐｓ〕、１Ｍ〔Ｂｐｓ〕というように設定することが可能である。
【００４７】
図３に示す例では、上記の表記に従って８Ｍ〔Ｂｐｓ〕のビットレートが登録されている。但し、一般に、本発明に係るデータ処理装置では、設定可能なビットレートの段階は、前記の４段階だけとは限らず、任意の段階であってもよい。
【００４８】
（５）「チャプタ引継ぎ」を示す設定項目２０５は、例えば、ＤＶＤなどのコンテンツにおいて、チャプタという特定のシーンなどで区切られた区間を示す単位があり、転送元で既に設定されているチャプタを転送先に引き継ぐか否かを指定するための設定である。図３に示す例では、チャプタを転送先に引き継ぐ設定が登録されている。
【００４９】
（６）「自動チャプタ」を示す設定項目２０６は、転送元のチャプタの設定に依存せず、自動でチャプタの区切れを作成するか否かを指定する設定項目である。自動でチャプタの区切れを作成する方法には、例えば、時間を設定して（例えば１０分おきに）、チャプタの区切れを作成する方法、ＣＭを検出（ステレオ・モノラル・２重音声などの音声情報の区切れを検知）した時にチャプタの区切れを作成する方法、及び画像のシーン検出（映像の動きや変化の度合いから、シーンの区切れを検知）することによってチャプタの区切れを作成する方法などがある。
【００５０】
メディアやファイルシステムによっては、内部的にコンテンツの区切れを有する場合があるので、その内部的な区切れをチャプタとしてもよい。例えば、ＢＤでは、コンテンツ中の時間的な区切れを内部的にＳＴＣシーケンス、ＡＴＣシーケンスと呼ばれる単位で区切っているので、ＢＤからＨＤＤにデータ転送する場合など、その区切れ目をチャプタとして扱い、自動的にチャプタを打つように指定する設定にしてもよい。
【００５１】
図３に示す例では、自動でチャプタを作成することを指定する登録をしている（この実施形態では、自動チャプタの方法として、この場合は、１０分おきにチャプタ作成される）。但し、この自動チャプタ作成方法については、上記の方法のいずれか１つ、若しくは、それらの組み合わせであってもよい。その場合、この自動チャプタ作成方法を小項目または詳細設定項目に含めて細かく設定することができる。
【００５２】
（７）「タイトル名自動設定」を示す設定項目２０７は、ＢＳデジタル放送などのデジタル放送の場合、ストリームデータとは別に、ストリームデータに付随する情報が存在する。これらの付随情報から、コンテンツに付されているタイトル名を自動的に分かり易いものに変更することができる。例えば、ドラマなどにおいて、第何話目かの情報を検出し、タイトルに、第何話であるかを示す表記を付け足したり、ＥＰＧ（電子番組情報）のキーワードを付加したり、利用者が任意に設定した語句を付加することなどが可能である。図３に示す例では、このようなコンテンツの自動更新処理を行うことを指定する登録をしている。
【００５３】
（８）「ファイナライズ設定」を示す設定項目２０８は、ファイナライズ（ＤＶＤ等において、ディスクの書き込みを閉じることで互換性を高めるモード）を有する時に、例えば、ＤＶＤ−ＶＩＤＥＯの場合、メニュー画面パターンなどを設定できるようにしておく。この設定されるメニュー画面パターンなどは、本装置で特定のものを用意しておいてもよいし、利用者がカスタマイズできるように構成してもよい。
【００５４】
図３に例示する設定情報管理テーブルは、設定情報制御部１０３で作成、記録する。記録する媒体に関しては、機器に別途内蔵されている不揮発性メモリなどに記録してもよいし、記録媒体１０６または記録媒体１０７に記録してもよい。
図３に例示する設定情報管理テーブルの設定項目は、あくまで一例であり、一般に、本発明に係るデータ処理装置では、これらの項目に限定されるものではなく、データ転送の際に設定すべき項目、若しくは設定可能な項目であれば、どのようなもの項目であっても構わない。
【００５５】
図４は、本発明の実施形態に係るデータ処理装置のデータ転送時の動作を示すフローチャートである。
以下、図１〜３を参照しながら、図４に示すフローチャートを使用して、本実施形態に係るデータ処理装置のデータ転送時の動作を説明する。
まず、システム制御部１０２は、データ転送開始時に既に登録された設定情報が存在しているか否かを検証し、既に登録された設定情報が存在する場合（ステップＳ３０１；ＹＥＳ）はステップＳ３０２に進み、登録された設定情報が未だ存在しない場合（ステップＳ３０１；ＮＯ）はステップＳ３０６に移る（ステップＳ３０１）。
【００５６】
ステップＳ３０２では、システム制御部１０２が、既に登録されている設定情報を読み込んで、データ転送制御部１０４と出力部１０９とを介してモニタにその設定情報の内容を表示する。この表示は、例えば、後述する図５（ａ）に示すような設定情報選択画面を構成するが、この表示は、特に図５に示す例に限定されるものではない。
次に、システム制御部１０２は、既に登録されている設定情報に基づいてデータ転送を行うのか否かを検証し、既に登録されている設定情報に基づいてデータ転送を行う場合はステップＳ３０４に進み、既に登録されている設定情報以外の設定情報に基づいてデータ転送を行う場合はステップＳ３０６に移る（ステップＳ３０３）。
ステップＳ３０４では、システム制御部１０２が、データ転送を行うコンテンツを選択する。
【００５７】
次に、システム制御部１０２は、設定情報制御部１０３と、データ転送制御部１０４とを介してデータ転送を開始し（ステップＳ３０５）、処理を終了する。
ステップＳ３０６では、システム制御部１０２が、ユーザインタフェース部１０８を介して設定情報を取得し、設定情報制御部１０３に設定情報を登録かつ設定させた後、ステップＳ３０５に移る。
なお、ステップＳ３０４の処理で、設定情報の使用頻度を参照し、使用頻度の多いものを優先的に選択するなどしてもよい。
このように構成することにより、データ転送の際に必要な設定情報の選択処理を簡易化することができる。
【００５８】
図５は、本発明の実施形態に係るデータ処理装置における設定情報選択／確認入力画面の１例を示す説明図であり、図５（ａ）は設定情報選択画面、図５（ｂ）はその確認入力画面を示すものである。
図５（ａ）の符号４０１で示す表示は、データ転送方向がＨＤＤからＢＤであり、データ転送種別が高速であり、データ転送時刻が即時であることを示している。
【００５９】
また、符号４０２で示す表示は、データ転送方向がＨＤＤからＤＶＤであり、データ転送種別が等速であり、データ転送時刻が即時であることを示しており、また、転送後のビットレートが８ＭＢｐｓであることを示している。符号４０３についても同様に、データ転送方向等を示している。
【００６０】
利用者は、これらの表示されている箇所にフォーカスを合わせるなどの方法により設定情報を選択する。設定情報が選択されると、図５（ｂ）に示すような確認入力画面に遷移し、設定情報を実際に反映したり、更に詳細な設定画面に遷移することなどが可能となる。
【００６１】
図６は、本発明の実施形態に係るデータ処理装置における設定情報選択画面の他の１例を示す説明図であり、図６（ａ）はデータ転送方向の選択画面、図６（ｂ）はチャプタ設定方法の選択画面、図６（ｃ）はタイトル設定方法の選択画面を示すものである。
【００６２】
図５（ａ）は、データ転送元をＨＤＤとし、データ転送先をＢＤとするデータ転送方向が選択された状態を示している。
また、図５（ｂ）は、一定時間ごとにチャプタを設定する自動チャプタが選択され、ＣＭ部分を検出してチャプタ分けをするＣＭチャプタを使用するか否かの設定では、ＣＭチャプタを使用する方の選択肢が選択された画面を示している。
さらに、図５（ｃ）は、自動で、タイトル名をＥＰＧから作成して登録する設定が選択されたことを示している。
【００６３】
図４や、図５で示した設定情報選択画面は、あくまで１例であり、一般に、本発明に係るデータ処理装置では、上記の例に限定されるものではなく、設定が可能なものでありさえすれば、どのような設定項目の選択画面であってもよい。
【００６４】
図７は、本発明の実施形態に係るデータ処理装置の設定情報登録時の登録すべき設定情報の選択処理の動作を示すフローチャートである。
以下、図１〜３を参照しながら、図７に示すフローチャートを使用して、本実施形態に係るデータ処理装置の設定情報登録時の登録すべき設定情報の選択処理の動作を説明する。
【００６５】
まず、システム制御部１０２は、設定項目登録時に既に登録された設定情報が存在しているか否かを検証し、既に登録された設定情報が存在する場合（ステップＳ６０１；ＹＥＳ）はステップＳ６０２に進み、登録された設定情報が未だ存在しない場合（ステップＳ６０１；ＮＯ）はステップＳ６０６に移る（ステップＳ６０１）。
ステップＳ６０２では、システム制御部１０２が、既に登録されている設定情報を読み込んで、データ転送制御部１０４と出力部１０９とを介してモニタにその設定情報の内容を表示する。この表示は、例えば、図５（ａ）に例示する設定情報選択画面を構成するが、この表示は、特に図５に示す例に限定されるものではない。
【００６６】
次に、システム制御部１０２は、既に登録されている設定情報に基づいて設定項目の登録を行うのか否かを検証し、既に登録されている設定情報に基づいて設定項目の登録を行う場合（ステップＳ６０３；ＹＥＳ）はステップＳ６０４に進み、既に登録されている設定情報以外の設定情報に基づいて設定項目の登録を行う場合（ステップＳ６０３；ＮＯ）はステップＳ６０６に移る（ステップＳ６０３）。
ステップＳ６０４では、システム制御部１０２が、既に登録されている設定情報のタイトルを選択する。
【００６７】
次に、システム制御部１０２は、設定情報制御部１０３と、データ転送制御部１０４とを介してデータ（設定情報）の転送を開始する（ステップＳ６０５）。
最後に、ステップＳ６０５で、データ転送終了後に、ステップＳ６０７に処理を移し，設定情報登録処理を行い、処理を終了する。図８は、この登録情報設定処理の一例である。
ステップＳ６０６において、システム制御部１０２が、ユーザインタフェース部１０８を介して新規の設定情報を取得し、設定情報制御部１０３を介して設定情報の登録処理（図８で説明する）を行った後、ステップＳ６０４に移る。
なお、ステップＳ６０４の処理で、設定情報の使用頻度を参照し、使用頻度の多いものを優先的に選択するなどしてもよい。
このように構成することにより、データ転送に先立って必要な設定情報の登録処理を簡易化することができる。
【００６８】
図８は、本発明の実施形態に係るデータ処理装置の設定情報登録処理時の動作を示すフローチャートである。
以下、図１〜３を参照しながら、図８に示すフローチャートを使用して、本実施形態に係るデータ処理装置の設定情報登録処理時の動作を説明する。
【００６９】
まず、システム制御部１０２は、登録する設定情報（図６においてデータ転送する際に設定した設定情報）が、前述のステップＳ６０６の処理で新規に作成された設定情報であるか否かを判定し、前述のステップＳ６０６の処理で新規に設定された設定情報であれば、ステップＳ７０２に移り、前述のステップＳ６０６の処理で新規に設定された設定情報ではない場合には、新たに登録する必要はないので、何もせずに処理を終了する（ステップＳ７０１）。
【００７０】
ステップＳ７０２では、システム制御部１０２が、既に登録されているデータが有るか否かを検証し、既に登録されているデータが有る場合はステップＳ７０３に移り、登録されているデータが未だ無い場合はステップＳ７０６に移る。
ステップＳ７０３では、システム制御部１０２が、登録数の限界について検証する。
次に、システム制御部１０２は、前記検証結果として、登録数の限界を越えている場合は、ステップＳ７０５に進み、登録数の限界を越えていなければステップＳ７０６に移る（ステップＳ７０４）。
【００７１】
ステップＳ７０５では、システム制御部１０２が、現在登録されている設定情報のうち、最も古い設定情報を削除する（例えば、登録数の上限を３とし、それぞれ同じ年の１月１日、２月２日、３月３日に登録された設定情報であれば、新たに設定情報を登録する際に１月１日に登録された設定情報を削除する）した後、ステップＳ７０６に移る。ここで、登録されている設定情報が１つも無い場合や、登録上限に達していない場合には、上記の設定情報削除は行わず、直ちに、ステップＳ７０６に移る。なお、設定情報登録数の上限は３でなくてもよいし、また、このような上限は設けなくとも構わない。
【００７２】
ステップＳ７０６では、システム制御部１０２が、新しい設定情報を登録（つまり、記録媒体などに記録する）。
なお、このように自動で設定せずに、ステップＳ７０５の削除処理において、利用者に、どの設定情報を削除するかを選択させるような表示を出力して、利用者が残したいものは登録を継続するようにしてもよい。
【００７３】
図９は、本発明の実施形態に係るデータ処理装置の設定情報登録処理時の他の動作を示すフローチャートである。
同図に示す設定情報登録処理時の動作は、ステップ８０１〜ステップ８０７の処理が、図７に示すステップ６０１〜ステップ６０７の処理と同じである。
但し、ここでは、ステップＳ８０１の処理開始に先立って、ステップＳ８０７のデータ登録処理を実行して設定情報を登録している。
【００７４】
図１０は、本発明の実施形態に係るデータ処理装置の設定情報登録処理時のデータ登録処理の動作を示すフローチャートである。
まず、システム制御部１０２は、現在設定されている登録情報が有るか否かを検証し、既に設定情報が存在していればステップＳ９０２に進み、設定情報が未だ存在していなければステップＳ９０５に移る（ステップＳ９０１）。
ステップＳ９０２では、システム制御部１０２が、登録限界まで設定情報が登録されているか否かを検証し、登録限界まで設定情報が登録されている場合はステップＳ９０３に進み、設定情報の登録数が登録限界に達していない場合はステップＳ９０５に移る。
【００７５】
ステップＳ９０３では、システム制御部１０２が、データ転送制御部１０４と出力部１０９とを介して、古い情報を削除して新しい設定情報を登録するか否かを利用者に選択させる表示を出力して、利用者が古い情報を削除することに同意すればステップＳ９０４に進み、利用者が古い情報を削除しない選択を示した場合は直ちに処理を終了する。
ステップＳ９０４では、システム制御部１０２が、設定情報制御部１０３を介して、古い情報の削除を行い、新規設定情報の登録が可能になったら次のステップＳ９０５に進む。なお、この古い情報の削除処理は、図８に示す処理動作の場合と同様に、古いものを自動的に消去してもよいし、利用者に任意選択させてから、選択されたものを削除するようにしてもよい。
次に、システム制御部１０２は、データ転送設定を行うための表示をし、利用者に画面に沿ってデータ転送設定を入力するよう促す。利用者から設定を終えたことを示す入力を受け付けたら、ステップＳ９０６に進み、設定情報を記録し、処理を終了する。
【００７６】
設定情報の登録方法については、上記の方法以外にも可能であり、例えば、図７に示すステップＳ６０７の登録処理は、データ転送後に行っているが、設定情報を登録した段階で行っても構わない。
【００７７】
図１１は、本発明の実施形態に係るデータ処理装置の設定情報登録処理時の他の動作を示すフローチャートである。
同図に示す設定情報登録処理時の動作は、図８に示す設定情報登録処理時の動作の削除処理にプライオリティを設け、即ち、データ（設定項目）の利用頻度を考慮して、利用頻度の少ない順から設定項目を削除するものである。この点を除き、図８に示す設定情報登録処理時の動作の削除処理の動作と同じであるので、ステップ毎の説明は省略する。
【００７８】
図１２は、本発明の実施形態に係るデータ処理装置の他の構成例を示す構成図である。
同図に示すデータ処理装置は、図２に示すデータ処理装置と比べると、新たに記録媒体３（１１０）と、記録媒体４（１１１）とが追加された構成を有する。その他の主要な構成要素については、その処理内容が、この追加に対応したものとなるが、ハードウェア構成としては同じであるので、図２に示すデータ処理装置と同じ符号を付している。
【００７９】
本実施形態に係るデータ処理装置では、前述のとおり、２つの内部媒体、即ち、記録媒体１（１０６）と記録媒体２（１０７）とを備え、この２つの記録媒体間でのデータ転送を例に挙げて説明をしたが、記録媒体を３つ以上備えている場合にも、前述の処理と同様の処理が可能である。例えば、図１２に例示するデータ処理装置は、記録媒体を４つ備えているが、前述の処理と同様の処理をすることが可能である。
【００８０】
図１３は、本発明の実施形態に係るデータ処理装置の他の構成例を示す構成図である。
同図に示すデータ処理装置は、図１２に示すデータ処理装置と比べると、新たに外部入出力部１１２が追加された構成を有する（符号１１３は外部機器）。その他の主要な構成要素については、その処理内容が、この追加に対応したものとなるが、ハードウェア構成としては同じであるので、図１２に示すデータ処理装置と同じ符号を付している。
【００８１】
外部機器へのデータ転送の場合、どの外部機器が接続されているかが検出できるのであれば、設定情報にどの外部機器が接続されていたかの情報を加えるなどしてもよい（図１４参照）。
【００８２】
図１４は、本発明の実施形態に係るデータ処理装置のデータ転送時の設定項目を登録する設定管理テーブルの他の１例を示す説明図である。
同図に示す設定管理テーブルでは、図３に示す管理テーブルに、外部機器を特定するための設定項目として、符号１３０４〜１３０６で示す外部機器設定項目が追加されている。
【００８３】
なお、直接には外部接続機器とは関係しないが、詳細設定の例として、符号１３１０，１３１１で示すように、２重音声や、音声記録方式（ＡＣ−３／ＬＰＣＭ／ＭＰＥＧ−Ａ、ｅｔｃ…）などの音声に関する設定や、記録画質設定等（例えば、録画生映像に各種フィルタを掛ける設定や、ＭＰＥＧ設定等）の、映像に関する設定、及びｉＬＩＮＫに代表される外部機器接続インタフェースに関する設定等を、この詳細設定項目に含めることができる。
【００８４】
以下、図１４に示す設定管理テーブルの外部機器に関する設定項目について箇条書きで説明する。
（１）「データ転送機器」を示す設定項目１３０４は、データ転送する転送先の外部機器の種類を示すものであり、ここではカメラを登録している。なお、転送先の外部機器が録画再生機器であれば、「レコーダ」などと表記することになる。なお、この設定項目には、本装置で認識可能でありさえすれば、データ転送する転送先の実際の機種名などを登録することができる。
【００８５】
（２）「データ転送規格」を示す設定項目１３０５は、例えば、ハイビジョン画質でＤＶテープにカメラで録画をする際の規格として、ＨＤＶ規格が存在し、この規格は、通常のＤＶ規格とは異なるし、また、ＭＰＥＧ２規格などとも異なるため、どのような規格のストリームが入ってくるかといった情報が登録される。ここではＨＤＶ規格を登録している。
【００８６】
（３）「接続方法」を示す設定項目１３０６は、外部機器との入出力インタフェースなどの設定を登録する。登録可能な外部機器としては、例えば、録画再生装置やビデオカメラに代表される撮影装置、ＰＣなどが例に挙げられ、また、これらの機器との接続インタフェースについては、コンポジット入出力、ＩＥＥＥ１３９４規格の入出力などを挙げることができるが、特に限定されるものではない。
【００８７】
このような設定項目を登録可能にすることで、特定の外部機器へのデータ転送を行う設定を保存することができるので、間違えて他の外部機器にデータ転送してしまう可能性を減らすことができる。
また、外部媒体から、本装置が備える記録媒体へのデータ転送を行う際の設定項目を登録することも可能である。
【００８８】
図１５は、本発明の実施形態に係るデータ処理装置の他の構成例を示す構成図である。
本発明の実施形態に係るデータ処理装置の他の構成例では、記録媒体を備えず、外部機器を２つ以上接続する構成として、これら外部機器間のデータ転送を行うことも可能である。
図１５に示すデータ処理装置は、記録媒体を備えず、外部機器１４０７，１４０８と接続して、これら外部機器間のデータ転送の制御を行う。
【００８９】
また、どのような実施態様においても、同一媒体内でのデータ転送を行う処理も可能であり、外部機器や記録媒体についての、個数や転送元／転送先に関する限定は特に存在するものではない。
本実施形態では、前述のとおり、データ転送に際しての設定情報について説明しているが、一般に、本発明では、予約録画等の他の機能を使用する際にも、同様に、既に登録されている設定を使用することにより設定情報登録の手間を軽減することができる。
【００９０】
なお、本発明に係るデータ処理装置の各構成要素の処理の少なくとも一部をコンピュータ制御により実行するものとし、かつ、上記処理を、図４、図７〜１１のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【図面の簡単な説明】
【００９１】
【図１】本発明の実施形態に係るデータ処理装置を含むシステムのシステム概念を示す構成図である。
【図２】本発明の実施形態に係るデータ処理装置の構成を示す構成図である。
【図３】本発明の実施形態に係るデータ処理装置のデータ転送時の設定項目を登録する設定管理テーブルの１例を示す説明図である。
【図４】本発明の実施形態に係るデータ処理装置のデータ転送時の動作を示すフローチャートである。
【図５】本発明の実施形態に係るデータ処理装置における設定情報選択／確認入力画面の１例を示す説明図であり、図５（ａ）は設定情報選択画面、図５（ｂ）はその確認入力画面を示すものである。
【図６】本発明の実施形態に係るデータ処理装置における設定情報選択画面の他の１例を示す説明図であり、図６（ａ）はデータ転送方向の選択画面、図６（ｂ）はチャプタ設定方法の選択画面、図６（ｃ）はタイトル設定方法の選択画面を示すものである。
【図７】本発明の実施形態に係るデータ処理装置の設定情報登録時の登録すべき設定情報の選択処理の動作を示すフローチャートである。
【図８】本発明の実施形態に係るデータ処理装置の設定情報登録処理時の動作を示すフローチャートである。
【図９】本発明の実施形態に係るデータ処理装置の設定情報登録処理時の他の動作を示すフローチャートである。
【図１０】本発明の実施形態に係るデータ処理装置の設定情報登録処理時のデータ登録処理の動作を示すフローチャートである。
【図１１】本発明の実施形態に係るデータ処理装置の設定情報登録処理時の他の動作を示すフローチャートである。
【図１２】本発明の実施形態に係るデータ処理装置の他の構成例を示す構成図である。
【図１３】本発明の実施形態に係るデータ処理装置の他の構成例を示す構成図である。
【図１４】本発明の実施形態に係るデータ処理装置のデータ転送時の設定項目を登録する設定管理テーブルの他の１例を示す説明図である。
【図１５】本発明の実施形態に係るデータ処理装置の他の構成例を示す構成図である。
【符号の説明】
【００９２】
１０１  受信部
１０２  システム制御部
１０３  設定情報制御部
１０４  データ転送制御部
１０５  記録再生部
１０６  記録媒体１
１０７  記録媒体２
１０８  ユーザインタフェース部
１０９  出力部
１１０  記録媒体３
１１１  記録媒体４
１１２  外部入出力部
１１３  外部機器
２０１  データ転送方向
２０２  データ転送種別
２０３  データ転送時刻
２０４  ビットレート
２０５  チャプタ引継ぎ
２０６  自動チャプタ
２０７  タイトル設定
２０８  ファイナライズ設定
１３０１  データ転送方向
１３０２  データ転送種別
１３０３  データ転送時刻
１３０４  データ転送機器
１３０５  データ転送規格
１３０６  接続方法
１３０７  ビットレート
１３０８  チャプタ引継ぎ
１３０９  自動チャプタ
１３１０  音声記録方式
１３１１  映像設定
１３１２  タイトル設定
１３１３  ファイナライズ設定
１４０７  外部機器
１４０８  外部機器
【図１】
2006319518.tif 000003
【図２】
2006319518.tif 000004
【図３】
2006319518.tif 000005
【図４】
2006319518.tif 000006
【図５】
2006319518.tif 000007
【図６】
2006319518.tif 000008
【図７】
2006319518.tif 000009
【図８】
2006319518.tif 000010
【図９】
2006319518.tif 000011
【図１０】
2006319518.tif 000012
【図１１】
2006319518.tif 000013
【図１２】
2006319518.tif 000014
【図１３】
2006319518.tif 000015
【図１４】
2006319518.tif 000016
【図１５】
2006319518.tif 000017